(57)【要約】【課題】  機器の識別情報に応じて、機器の設定を効果的に行うことで、操作性良く機器設定を行うことのできる情報処理機器を実現する。【解決手段】  受信したデバイスクローニングファイルデータから識別情報を抽出し（Ｓ２０）、該識別情報におけるシリアル番号がデバイスクローニングファイルデータを受信した複合機のシリアル番号と一致するか否かによって、このデータリストア処理がバックアップ処理であるかクローニング処理であるかを判断する（Ｓ２１）。バックアップ処理では固有情報と一般情報とをリストアし（Ｓ２２）、クローニング処理では一般情報のみをリストアする（Ｓ２５）。【選択図】  図１
2005094057.tif 000002
【特許請求の範囲】
【請求項１】
ネットワークを介して情報システムに接続可能である情報通信機器において、
機器を識別するための機器識別子を含んだ識別情報と、自機器に固有の情報である固有情報と、他機器に対して設定内容を移植可能である一般情報とを格納する記憶部と、
外部からの通信により、識別情報、固有情報、および一般情報を受信する通信部と、
受信した識別情報における機器識別子が自機器の記憶部に格納されている機器識別子と一致するか否かを判断する判断部と、
上記判断部において機器識別子が一致すると判断された場合には、受信した固有情報および一般情報を自機器の記憶部に再設定し、上記判断部において機器識別子が一致しないと判断された場合には、受信した一般情報のみを自機器の記憶部に再設定する情報登録部とを備えていることを特徴とする情報通信機器。
【請求項２】
上記判断部は、さらに、受信した識別情報における機器種別が自機器の記憶部に格納されている機器種別と一致するか否かを判断し、
上記情報登録部は、上記判断部において機器識別子が一致せず、さらに、受信した識別情報における機器種別が自機器の記憶部に格納されている機器種別と一致すると判断した場合に、受信した一般情報のみを自機器の記憶部に再設定することを特徴とする請求項１に記載の情報通信機器。
【請求項３】
上記通信部は、上記識別情報、固有情報、および一般情報を受信するときに、これらの受信情報におけるデータ数、および各データのデータＩＤを含むデータ構造情報を同時に受信し、
上記判断部は、さらに、受信したデータ構造が自機器のデータ構造と一致するか否かを判断し、
上記情報登録部は、上記判断部において受信したデータ構造が自機器のデータ構造と異なる場合、各データＩＤについて個別にデータ登録を行い、かつ、受信したデータＩＤ以外のデータＩＤが自機器にある場合は、そのデータＩＤに対応する情報においてデフォルトの値を設定することを特徴とする請求項１に記載の情報通信機器。
【請求項４】
上記通信部は、上記識別情報、固有情報、および一般情報を受信するときに、これらの受信情報におけるデータ数、および各データのデータＩＤを含むデータ構造情報を同時に受信し、
上記判断部は、さらに、受信したデータ構造が自機器のデータ構造と一致するか否かを判断し、
上記情報登録部は、上記判断部において受信したデータ構造が自機器のデータ構造と一致する場合、受信した一般情報を一括して再設定することを特徴とする請求項１に記載の情報通信機器。
【請求項５】
上記判断部は、さらに、受信した情報に仕向地情報がある場合、受信した情報における該仕向地情報が自機器の仕向地情報と一致するか否かを判断し、
上記情報登録部は、上記判断部において受信した仕向地情報と自機器の仕向地情報が異なると判断された場合、設定を中止する、もしくは、デフォルトの値を設定することを特徴とする請求項１に記載の情報通信機器。
【請求項６】
ネットワークを介して情報システムに接続可能である情報通信機器の条件設定方法において、
機器を識別するための機器識別子を含んだ識別情報と、自機器に固有の情報である固有情報と、他機器に対して設定内容を移植可能である一般情報とからなる設定条件をある情報通信機器から吸い出し、
吸い出された設定条件を自機器または他機器である情報通信機器に入力し、
上記設定条件を入力された情報通信機器は、受信した識別情報における機器識別子が自機器の記憶部に格納されている機器識別子と一致するか否かを判断し、
機器識別子が一致すると判断された場合には、受信した固有情報および一般情報を上記設定条件を入力された情報通信機器側で再設定し、上記判断部において機器識別子が一致しないと判断された場合には、受信した一般情報のみを上記設定条件を入力された情報通信機器側で再設定することを特徴とする条件設定方法。
【発明の詳細な説明】
【技術分野】
【０００１】
本発明は、ＯＡシステム等の情報システムにネットワークを介して接続され、該情報システムの一部となる情報通信機器に関するものである。
【背景技術】
【０００２】
ネットワークを介して情報システムに接続される情報通信機器として、例えば、デジタル複合機等が考えられる。また、このような複合機では、各機器において種々の条件設定を行っておく必要があるが、情報システムにおいて複数の複合機が接続されている場合には、各複合機に対して個別に条件設定を行うことはユーザに煩雑な処理を要求することになる。
【０００３】
このような問題に対し、特許文献１では、共用の設定データを複数のネットワーク装置に対して順次配信し設定することが記載されている。つまり、上記特許文献１は、ネットワークに接続される複数のネットワーク装置のうちの一台において設定が行われると、その設定条件を読み出して記録し、その記録した設定条件を他のネットワーク装置に対して配信することで、他のネットワーク装置にも最初の一台と同様の設定を行わせるようにするものである。
【特許文献１】特開２００２−１３５２５０（公開日平成１４年５月１０日）
【発明の開示】
【発明が解決しようとする課題】
【０００４】
上記特許文献１の構成では、ある１台のネットワーク機器の設定条件を読み出して、該設定条件を他の機器において移植することを目的としているため、各ネットワーク装置での共用項目のみ設定している。しかしながら、あるネットワーク機器の設定条件を読み出して、読み出した条件を再度ネットワーク機器において設定するといった動作は、同一機器でのバックアップとしても行うことができる。このように同一の機器での条件バックアップとして上記設定を行う場合は、共用項目だけでなく、その機器に固有に設定されていたデータや、固有に記憶されていた情報も戻す必要がある。
【０００５】
このようにある機器の設定を読み出して他の機器に移植する場合と、読み出した設定を同じ機器に戻す場合とでは、設定する範囲が異なるため、ユーザがそれを意識して設定動作を行うとなるとその作業が面倒になるといった問題を生じる。
【０００６】
本発明は、上記の問題点に鑑みてなされたものであり、その目的は、機器の識別情報に応じて、機器の設定を効果的に行うことで、操作性良く機器設定を行うことのできる情報処理機器を実現することにある。
【課題を解決するための手段】
【０００７】
本発明に係る情報通信機器は、上記課題を解決するために、ネットワークを介して情報システムに接続可能である情報通信機器において、機器を識別するための機器識別子を含んだ識別情報と、自機器に固有の情報である固有情報と、他機器に対して設定内容を移植可能である一般情報とを格納する記憶部と、外部からの通信により、識別情報、固有情報、および一般情報を受信する通信部と、受信した識別情報における機器識別子が自機器の記憶部に格納されている機器識別子と一致するか否かを判断する判断部と、上記判断部において機器識別子が一致すると判断された場合には、受信した固有情報および一般情報を自機器の記憶部に再設定し、上記判断部において機器識別子が一致しないと判断された場合には、受信した一般情報のみを自機器の記憶部に再設定する情報登録部とを備えていることを特徴としている。
【０００８】
また、上記情報通信機器では、上記判断部は、さらに、受信した識別情報における機器種別が自機器の記憶部に格納されている機器種別と一致するか否かを判断し、上記情報登録部は、上記判断部において機器識別子が一致せず、さらに、受信した識別情報における機器種別が自機器の記憶部に格納されている機器種別と一致すると判断した場合に、受信した一般情報のみを自機器の記憶部に再設定することを特徴としている。
【０００９】
また、上記情報通信機器では、上記通信部は、上記識別情報、固有情報、および一般情報を受信するときに、これらの受信情報におけるデータ数、および各データのデータＩＤを含むデータ構造情報を同時に受信し、上記判断部は、さらに、受信したデータ構造が自機器のデータ構造と一致するか否かを判断し、上記情報登録部は、上記判断部において受信したデータ構造が自機器のデータ構造と異なる場合、各データＩＤについて個別にデータ登録を行い、かつ、受信したデータＩＤ以外のデータＩＤが自機器にある場合は、そのデータＩＤに対応する情報においてデフォルトの値を設定することを特徴としている。
【００１０】
また、上記情報通信機器では、上記通信部は、上記識別情報、固有情報、および一般情報を受信するときに、これらの受信情報におけるデータ数、および各データのデータＩＤを含むデータ構造情報を同時に受信し、上記判断部は、さらに、受信したデータ構造が自機器のデータ構造と一致するか否かを判断し、上記情報登録部は、上記判断部において受信したデータ構造が自機器のデータ構造と一致する場合、受信した一般情報を一括して再設定することを特徴としている。
【００１１】
また、上記情報通信機器では、上記判断部は、さらに、受信した情報に仕向地情報がある場合、受信した情報における該仕向地情報が自機器の仕向地情報と一致するか否かを判断し、上記情報登録部は、上記判断部において受信した仕向地情報と自機器の仕向地情報が異なると判断された場合、設定を中止する、もしくは、デフォルトの値を設定することを特徴としている。
【００１２】
本発明に係る条件設定方法は、上記課題を解決するために、ネットワークを介して情報システムに接続可能である情報通信機器の条件設定方法において、機器を識別するための機器識別子を含んだ識別情報と、自機器に固有の情報である固有情報と、他機器に対して設定内容を移植可能である一般情報とからなる設定条件をある情報通信機器から吸い出し、吸い出された設定条件を自機器または他機器である情報通信機器に入力し、上記設定条件を入力された情報通信機器は、受信した識別情報における機器識別子が自機器の記憶部に格納されている機器識別子と一致するか否かを判断し、機器識別子が一致すると判断された場合には、受信した固有情報および一般情報を上記設定条件を入力された情報通信機器側で再設定し、上記判断部において機器識別子が一致しないと判断された場合には、受信した一般情報のみを上記設定条件を入力された情報通信機器側で再設定することを特徴としている。
【発明の効果】
【００１３】
本発明に係る情報通信機器は、以上のように、上記判断部にて、受信した識別情報における機器識別子（例えば、シリアル番号）が自機器の記憶部に格納されている機器識別子と一致するか否かを判断し、上記判断部において機器識別子が一致すると判断された場合には、受信した固有情報および一般情報を自機器の記憶部に再設定し、上記判断部において機器識別子が一致しないと判断された場合には、受信した一般情報のみを自機器の記憶部に再設定する。
【００１４】
すなわち、機器識別子が同一の場合、同一機器間でのバックアップデータを戻す作業（バックアップ処理）を行っていると判断し、固有情報と一般情報との両者を登録する。また、機器識別子が同一でない場合、同一機種（同類機器）間での設定条件の移植処理（クローニング処理）と判断し、共通となる一般情報だけを登録する。これにより、ユーザがバックアップ処理かクローニング処理かの判断をして移植するデータの設定などを行わなくても、操作性良く機器の設定を行うことができるという効果を奏する。
【００１５】
また、本発明に係る情報通信機器は、以上のように、さらに判断部が受信した識別情報における機器種別が自機器の記憶部に格納されている機器種別と一致するか否かを判断し、情報登録部が、上記判断部において機器識別子が一致せず、さらに、受信した識別情報における機器種別が自機器の記憶部に格納されている機器種別と一致すると判断した場合に、受信した一般情報のみを自機器の記憶部に再設定するので、同一機種（同類機器）間での設定条件の移植処理を確実に行えるという効果を奏する。
【００１６】
また、本発明に係る情報通信機器は、以上のように、さらに、上記判断部において受信したデータ構造が自機器のデータ構造と一致するか否かを判断し、上記情報登録部は、受信したデータ構造が自機器のデータ構造と異なる場合、各データＩＤについて個別にデータ登録を行い、かつ、受信したデータＩＤ以外のデータＩＤが自機器にある場合は、そのデータＩＤに対応する情報においてデフォルトの値を設定する。これにより、例えば、他部門で使用されていた機器Ａに自部門の機器Ｂの設定値を移植して使用するような場合に、機器Ｂに無い機器Ａの設定項目が他部門で使用されていた設定値のままとなってしまい、予期しない動作をしてしまう不具合を防止できるという効果を奏する。
【００１７】
また、本発明に係る情報通信機器は、以上のように、さらに、上記判断部において受信したデータ構造が自機器のデータ構造と一致するか否かを判断し、上記情報登録部は、上記判断部において受信したデータ構造が自機器のデータ構造と一致する場合、受信した一般情報を一括して再設定する。これにより、一括して機器情報の登録を行うことで、高速に登録を行うことができるという効果を奏する。
【００１８】
また、本発明に係る情報通信機器は、以上のように、さらに、上記判断部は、さらに、受信した情報に仕向地情報がある場合、受信した情報における該仕向地情報が自機器の仕向地情報と一致するか否かを判断し、上記情報登録部は、上記判断部において受信した仕向地情報と自機器の仕向地情報が異なると判断された場合、設定を中止する、もしくは、デフォルトの値を設定する。これにより、仕向地毎に設定できる項目やデフォルトの設定値が異なる場合があるため、異なる仕向地の機器設定を移植すると動作トラブルが発生する可能性があるが、仕向地情報が一致しない場合、デフォルト値の設定を行うか、設定設定を中止することで予期しないトラブルを防止することができるという効果を奏する。
【００１９】
また、本発明に係る条件設定方法は、以上のように、ある情報通信機器から機器を識別するための機器識別子を含んだ識別情報と、自機器に固有の情報である固有情報と、他機器に対して設定内容を移植可能である一般情報とからなる設定条件を吸い出し、吸い出された設定条件を自機器または他機器である情報通信機器に入力する際、上記設定条件を入力された情報通信機器側で、受信した識別情報における機器識別子が自機器の記憶部に格納されている機器識別子と一致するか否かを判断し、機器識別子が一致する場合には、受信した固有情報および一般情報を再設定し、機器識別子が一致しない場合には、一般情報のみを再設定する。
【００２０】
すなわち、機器識別子が同一の場合、同一機器間でのバックアップデータを戻す作業（バックアップ処理）を行っていると判断し、固有情報と一般情報との両者を登録する。また、機器識別子が同一でない場合、同一機種（同類機器）間での設定条件の移植処理（クローニング処理）と判断し、共通となる一般情報だけを登録する。これにより、ユーザがバックアップ処理かクローニング処理かの判断をして移植するデータの設定などを行わなくても、操作性良く機器の設定を行うことができるという効果を奏する。
【発明を実施するための最良の形態】
【００２１】
本発明の一実施形態について図１ないし図１０に基づいて説明すると以下の通りである。先ず、本発明に係る情報システムの一例を図２に示す。図２に示す情報システムは、複合機Ａ〜ＤとホストＰＣ（Personal Computer）とからなるシステム構成であり、複合機Ａ〜Ｄにおいて本発明に係る情報通信装置が適用される。
【００２２】
複合機Ａは、ネットワークにて情報システムに接続可能であり、コピー機能、プリンタ機能、スキャナ機能、及びファクス機能等を備えている。また、複合機Ｂ〜Ｄも細部の仕様は異なる可能性があるものの、大略的には複合機Ａと同様の構成であるため、以下では複合機Ａを例にとって説明を行う。
【００２３】
図２に示す複合機Ａは、操作表示部１１、記憶部１２、ＦＡＸ通信部１３、スキャナ１４、プリンタエンジン１５、ネットワーク通信部１６、制御部１７を備えている。
【００２４】
操作表示部１１は、ユーザが複合機Ａを操作するための入力手段や動作表示を行うための表示手段となる。記憶部１２は、識別情報、固有情報、一般情報を記憶するための手段である。ＦＡＸ通信部１３は、電話回線等を介してＦＡＸ通信を行うための手段である。スキャナ１４は、コピーモードあるいはＦＡＸモードでの動作時に原稿画像を読み取り、その画像データを得るための手段である。プリンタエンジン１５は、コピーモードあるいはプリントモードでの動作時に、画像データを印字出力するための手段である。ネットワーク通信部１６は、該複合機Ａとネットワークで接続された他の機器（ホストＰＣや複合機Ｂ〜Ｄ）との間で設定条件や画像データの送信を行うための手段である。
【００２５】
また、制御部１７は、該複合機Ａの動作制御を行う手段であり、大略的に、システム制御部１７１、コピー制御モジュール１７２、プリンタ制御モジュール１７３、スキャナ制御モジュール１７４、ＦＡＸ制御モジュール１７５、情報登録部１７６を有している。システム制御部１７１は、複合機Ａの全体の動作制御を行う。コピー制御モジュール１７２、プリンタ制御モジュール１７３、スキャナ制御モジュール１７４、ＦＡＸ制御モジュール１７５のそれぞれは、コピーモード、プリンタモード、スキャナモード、ＦＡＸモードの動作時の制御を行う。情報登録部１７６は、情報システム内でのリストア処理に係る情報登録動作を記憶部１２に対して行う。また、制御部１７は、処理を実行するＣＰＵ、および制御プログラムや制御データ等を格納するＲＯＭや処理用メモリとなるＲＡＭからなる。
【００２６】
本実施形態に係る情報システムにおいて、複合機から設定条件を読み出して、読み出した設定条件を再度複合機に記憶させるリストア処理としては、ある複合機の設定条件を他の複合機に移植するクローニング処理と、ある複合機の設定条件を同一の複合機に戻すバックアップ処理とがある。
【００２７】
ここで、上記リストア処理において読み取りが行われる設定条件のデータ構造の一例を図３に示す。この設定条件は、各機器を識別するための識別情報、各機器に固有の情報である固有情報、各機器で共有できる一般情報に大別できる。
【００２８】
識別データとしては、シリアル番号、識別ＩＤ、ＩＰアドレスがある。固有情報としては、トータルカウンタ、メンテナンス履歴、仕向地、等の情報がある。そして、一般情報としては、給紙トレイ設定、シャットオフ時間、トナーセーブ、等の情報がある。
【００２９】
上記リストア処理では、最初にある複合機から設定条件を読み出して保存する処理が実施される。このデータ保存処理の手順を図４のフローチャートを参照して説明する。このデータ保存処置では、複合機から読み出される設定条件は、該複合機とネットワーク接続されたホストＰＣにて記憶されるものとする。
【００３０】
上記リストア処理に係るデータ保存処理では、最初に、ホストＰＣより複合機に向けてデータ送信要求が出される（Ｓ１）。このデータ送信要求を受けた複合機が、本発明に係るリストア処理を実行可能な機能を有する機器（以下、デバイスクローニング対応機）である場合（Ｓ２でＹＥＳ）、該複合機の制御部１７は記憶部１２において格納されている識別情報、固有情報、一般情報のすべてをデータ転送用作業領域に格納する（Ｓ３〜Ｓ５）。そして、データ転送用作業領域に格納された全てのデータを、データ送信要求の送信元であるホストＰＣへ転送し（Ｓ６）、ホストＰＣでこれらのデータが保存される。
【００３１】
上記データ保存処理が終了すると、ホストＰＣに保存された設定条件を複合機に再度設定し直すためのデータリストア処理が実施される。このデータリストア処理の手順を図１のフローチャートを参照して説明する。
【００３２】
上記データリストア処理では、最初に、データリストアの対象となる複合機に対してホストＰＣよりデータ受信要求が出される（Ｓ１１）。このデータ受信要求を受けた複合機が、デバイスクローニング対応機である場合（Ｓ１２でＹＥＳ）、該複合機はホストＰＣにおいて格納されていたデータ（デバイスクローニングファイルデータ、すなわち、識別情報、固有情報、一般情報の全て）を該ホストＰＣから受信する（Ｓ１３）。
【００３３】
複合機においてデバイスクローニングファイルデータの受信が終了すると（Ｓ１４でＹＥＳ）、適正な受信動作が行われた否かを確認するためのチェックサム確認が行われる（Ｓ１５）。チェックサム確認において異常が発見された場合は（Ｓ１６でＮＯ）、異常通知を行って処理を終了する（Ｓ１７）。
【００３４】
一方、上記チェックサム確認が正常であった場合には、複合機側でホストＰＣから受信したデバイスクローニングファイルデータを設定するための処理を開始する。この処理では、まず、複合機側で識別情報セット設定となっているか否かが確認される（Ｓ１８）。識別情報セット設定とは、識別情報に基づいて、バックアップ処理かクローニング処理かを複合機が判断し、その処理に応じた適切な記憶動作を行うように設定されている状態である。
【００３５】
デバイスクローニングファイルデータを受信した複合機が、識別情報セット設定となっていない場合（Ｓ１８でＮＯ）、該複合機では、バックアップ処理かクローニング処理かの判断を行うことなく、受信したデバイスクローニングファイルデータの全て（すなわち、識別情報、固有情報、一般情報）を記憶部へ格納する（Ｓ１９）。
【００３６】
一方、デバイスクローニングファイルデータを受信した複合機が識別情報セット設定となっている場合（Ｓ１８でＹＥＳ）、受信したデバイスクローニングファイルデータから識別情報が抽出される（Ｓ２０）。そして、抽出した識別情報のうちのシリアル番号が、デバイスクローニングファイルデータを受信した複合機のシリアル番号と一致した場合（Ｓ２１でＹＥＳ）、このデータリストア処理は複合機の設定条件を同一の複合機に戻すバックアップ処理であると判断される。そして、この場合、固有情報と一般情報とがリストアされ（Ｓ２２）、このリストア動作が終わると処理を終了する（Ｓ２３でＹＥＳ）。
【００３７】
また、上記シリアル番号が一致しなかった場合（Ｓ２１でＮＯ）は、クローニング処理であるか否かを判断するために、識別ＩＤが一致するか否かが確認される（Ｓ２４）。この識別ＩＤが一致しなかった場合は、最初に設定情報を読み出した機器と、設定情報を記憶させようとする機器とが相互でクローニング処理可能な同一種類の機器ではないと判断され、異常通知を行って処理を終了する（Ｓ１７）。
【００３８】
そして、上記識別ＩＤが一致した場合（Ｓ２４でＹＥＳ）には、ある複合機の設定条件を他の複合機に移植するクローニング処理であると判断され、一般情報のみがリストアされ（Ｓ２５）、このリストア動作が終わると処理を終了する（Ｓ２６でＹＥＳ）。つまり、クローニング処理では、固有情報のリストアは必要なく、一般情報のみがリストアされる。
【００３９】
さらに、上記クローニング処理におけるデータ設定の具体例を以下に説明する。先ず、データ構造の具体例を図５（ａ），（ｂ）に示す。図５（ａ）は機器Ａにおけるデータ構造を示し、図５（ｂ）は機器Ｂにおけるデータ構造を示し、ここでは機器Ａから機器Ｂにデータを移植するクローニング処理を行う場合を考える。
【００４０】
ここに例示する処理は、受信したデータ構造が自機器のデータ構造と異なる場合、データＩＤの一つずつについて個別にデータ登録を行い、受信したデータＩＤ以外のデータＩＤが自機器にある場合は、デフォルトの値を設定する点を特徴とする。
【００４１】
すなわち、機器Ａから機器Ｂに対しクローニング処理を行う場合、機器ＡにおけるデータＩＤはＤ１ないしＤ５０の５０個あるのに対し、機器ＢにおけるデータＩＤはＤ１ないしＤ５２の５２個ある。つまり、クローニング処理の受信側である機器Ｂには受信したデータＩＤ以外にＤ５１ないしＤ５２の２つのデータＩＤを有している。このため、この場合のクローニング処理では、図６に示すように、機器Ｂでは、Ｄ１ないしＤ５０のデータＩＤに関するデータについては受信したデータに設定する動作を行い、Ｄ５１ないしＤ５２のデータＩＤに関するデータについてはデフォルト値の設定を行う。
【００４２】
上記動作が好適となる例として、他部門で使用されていた機器Ｂを自部門で使用するような場合が考えられる。この場合、機器Ｂは自部門の設定値に変更する必要があるが、自部門の機器Ａの設定値を機器Ｂに移植する場合に、機器Ａに無い機器Ｂの設定項目を他部門で使用されていた設定値のままとすると、予期しない動作をしてしまう可能性がある。このため、機器Ａに無い機器Ｂの設定項目は工場出荷時のデフォルト値（デフォルト値：一般的な設定値）に戻すことで、導入時の予期しない動作を防止するようにする。また、こうすることによって、機器Ｂの設定を初期化してから機器Ａの設定の移植を行う必要がない。
【００４３】
データ保存処理およびデータリストア処理において、上述のようにデータ構造を利用する場合の動作を図７および図８を参照して説明する。
【００４４】
図７はデータ保存処理を示すフローチャートである。この処理におけるＳ３１〜Ｓ３５は、図４におけるＳ１〜Ｓ５と同様であるので詳細な説明は省略する。また、図７に示す示す処理では、識別情報、固有情報、一般情報に加えて、図５に示すようなデータ構造情報をデータ転送用作業領域に格納する（Ｓ３６）。そして、データ転送用作業領域に格納された全てのデータを、データ送信要求の送信元であるホストＰＣへ転送し（Ｓ３７）、ホストＰＣでこれらのデータが保存される。
【００４５】
次に、ホストＰＣに保存された設定条件を複合機に再度設定し直すためのデータリストア処理を図８に示すが、図８におけるＳ４１〜Ｓ４９は、図１におけるＳ１１〜Ｓ１９と同様であるので詳細な説明は省略する。
【００４６】
Ｓ４８において、デバイスクローニングファイルデータを受信した複合機が識別情報セット設定となっている場合（Ｓ４８でＹＥＳ）、受信したデバイスクローニングファイルデータからデータ構造情報が抽出される（Ｓ５０）。そして、抽出したデータ構造情報が、該デバイスクローニングファイルデータを受信した複合機のデータ構造と一致するか否かが判断される（Ｓ５１）。尚、Ｓ５０の処理は、このデータリストア処理がクローニング処理であることを前提としている。バックアップ処理の可能性もある場合には、Ｓ４８とＳ５０のステップの間に図１におけるＳ２０〜Ｓ２４のステップを挿入し、Ｓ２４でＹＥＳとなる場合にＳ５０へ移行する構成とすればよい。
【００４７】
Ｓ５１においてデータ構造が一致する場合は、移植元と移植先とのデータのデータ数が一致するため、デバイスクローニングファイルデータにて受信された一般情報が一括してリストアされ（Ｓ５２）、このリストア動作が終わると処理を終了する（Ｓ５３でＹＥＳ）。
【００４８】
一方、Ｓ５１においてデータ構造が一致しなかった場合は、上述したようにデータＩＤの一つずつについて個別にデータ登録を行い、受信したデータＩＤ以外のデータＩＤが自機器にある場合は、デフォルトの値を設定するといったリストア処理が行われる（Ｓ５４）。このＳ５４のリストア処理の具体的な動作例を図９のフローチャートを参照して説明する。
【００４９】
図９のフローチャートでは、クローニング処理を行うことが前提であるため、リストア処理される情報は一般情報のみであり、受信側機器において存在する個別の一般情報について、受信したデータＩＤのなかにそれと一致するデータＩＤがあるか否かが確認される（Ｓ６１）。
【００５０】
そして、一致するデータＩＤがある場合は、受信側機器において、そのデータＩＤに対応する一般情報をリストアする（Ｓ６２）。また、一致するデータＩＤがない場合は、そのデータＩＤに対応する一般情報はデフォルト値に設定される（Ｓ６３）。Ｓ６２またはＳ６３でのリストア処理が終了すると、未処理の個別データＩＤがあるか否かが確認され（Ｓ６４）、なければ処理を終了する。
【００５１】
また、図８におけるＳ５４でのデータリストア処理の変形例として、図１０のフローチャートに示すような処理も考えられる。すなわち、図１０の処理は、リストア処理において仕向地（設置している国または地域のＩＤ）の情報を利用する場合の例である。
【００５２】
この場合も、図９のＳ６１と同様に、最初に受信側機器において存在する個別の一般情報について、受信したデータＩＤのなかにそれと一致するデータＩＤがあるか否かが確認される（Ｓ７１）。そして、一致するデータＩＤがある場合は、受信側機器において、ＦＡＸ機能やプリンタ機能等のオプション機能があるか否かが確認される（Ｓ７２）。尚、ここで確認されるオプション機能とは、その仕向地によってデフォルト値が異なっているような機能である。
【００５３】
このようなオプション機能がなければ（Ｓ７２でＮＯ）、本体仕向地が一致するか否かが確認され（Ｓ７３）、一致すれば本体情報ＩＤの一般情報をリストアする（Ｓ７４）。このようなオプション機能があれば（Ｓ７２でＹＥＳ）、それがＦＡＸ機能である場合、ＦＡＸ仕向地が一致するか否かが確認され（Ｓ７５）、一致すればＦＡＸ情報ＩＤの一般情報をリストアし（Ｓ７６）、それがプリンタ機能である場合、プリンタ仕向地が一致するか否かが確認され（Ｓ７７）、一致すればプリンタ情報ＩＤの一般情報をリストアする（Ｓ７８）。
【００５４】
また、上記Ｓ７３，Ｓ７５，Ｓ７７において、仕向地が一致しなかった場合には、そのデータＩＤに係る情報をデフォルト値に設定する（Ｓ７９）。さらに、Ｓ７４，Ｓ７６，Ｓ７８，またはＳ７９でのリストア処理が終了すると、未処理の個別データＩＤがあるか否かが確認され（Ｓ８０）、なければ処理を終了する。
【００５５】
尚、上記図１０のＳ７９では、仕向地が一致しなかった場合に、そのデータＩＤに係る情報をデフォルト値に設定することとしたが、デフォルト値への設定の代わりに、何も設定を行わないようにするものであっても良い。
【００５６】
仕向地毎に設定出来る項目やデフォルトの設定値が異なる場合があるため、異なる仕向地の機器設定を移植すると動作トラブルが発生する可能性がある。これに対し、上記図１０の処理では、データの移植元と移植先との機器で仕向地が異なる場合、設定を中止することで予期しないトラブルを防止することができる。
【００５７】
なお、上述の説明では、本発明に係る情報通信機器がデジタル複合機の場合について説明したが、これに限るものではない。すなわち、情報システムにネットワークを介して接続され、各機器において種々の条件設定が行われる機器であれば、本実施形態と略同様の効果が得られる。
【００５８】
また、上述の説明では、機器Ａから機器Ｂへのデータのクローニング処理をホストＰＣを介して行っているが、本発明はこれに限定されるものではなく機器Ａと機器Ｂとの間で直接データの送信を行っても良い。
【００５９】
また、上述の説明では、データのバックアップ処理やクローニング処理において、移植元の機器からの設定条件の吸い出し、および移植先の機器への設定条件の送信は、ネットワークを介して行われているが、本発明はこれに限定されるものではなく、ＵＳＢやＲＳ２３２Ｃなどの汎用Ｉ／Ｆで移植元および移植先の機器を直接接続してデータ転送を行う場合や、ＵＳＢメモリやＨＤＤを介してデータ転送を行うものであってもよい。
【産業上の利用可能性】
【００６０】
情報システムにネットワークを介して接続される情報通信機器において、ある情報通信機器から読み出した設定情報を自機器もしくは他機器に設定する処理を容易に行うことができ、ネットワークに接続されたデジタル複合機等におけるバックアップ処理およびクローニング処理等の用途に適用できる。
【図面の簡単な説明】
【００６１】
【図１】本発明の実施形態を示すものであり、データリストア処理の動作手順を示すフローチャートである。
【図２】本発明が適用可能な情報システム、およびデジタル複合機の概略構成を示すブロック図である。
【図３】本発明のリストア処理において対象となる設定情報のデータ構造の一例を示す図である。
【図４】本発明のリストア処理におけるデータ保存処理の動作手順を示すフローチャートである。
【図５】図５（ａ）はクローニング処理において、データの移植元となる機器のデータ構造情報の一例を示し、図５（ｂ）はデータの移植先となる機器のデータ構造情報の一例を示す図である。
【図６】クローニング処理時におけるデータリストア処理の一例を示す図である。
【図７】本発明のリストア処理におけるデータ保存処理において、図４とは異なる動作例を示すフローチャートである。
【図８】本発明のリストア処理におけるデータリストア処理において、図１とは異なる動作例を示すフローチャートである。
【図９】図８のリストア処理における動作の一例を示すフローチャートである。
【図１０】図８のリストア処理における動作の図９とは異なる例を示すフローチャートである。
【符号の説明】
【００６２】
１２    記憶部
１６    ネットワーク通信部（通信部）
１７    制御部（判断部）
１７６  情報登録部
Ａ〜Ｄ  複合機（情報通信機器）
【図１】
2005094057.tif 000003
【図２】
2005094057.tif 000004
【図３】
2005094057.tif 000005
【図４】
2005094057.tif 000006
【図５】
2005094057.tif 000007
【図６】
2005094057.tif 000008
【図７】
2005094057.tif 000009
【図８】
2005094057.tif 000010
【図９】
2005094057.tif 000011
【図１０】
2005094057.tif 000012